(57)【要約】【課題】ユーザが当該メールをメインディスプレイに表示させる前に、携帯電話機の筐体を開くだけでそのメールの内容を知ることを可能とする携帯電話機などを提供する。【解決手段】本発明に係る携帯電話機１０は、開閉可能な筐体１１と、筐体の開閉操作を認識する入力制御部１１４と、複数の操作キーを備えるキー操作部１０２と、独立して点灯可能であるキーバックライト１０３と、電子メールの送受信を行うメール送受信部１１１と、新着電子メールの内容から当該メールの表している内容について判断する感情認識判断部１１２と、キーバックライトを発光させるパターンを記憶する表示パターン記憶部１２３と、判断された内容に対応するパターンに基づいてキーバックライトを発光制御する表示制御部１１３とを有し、入力制御部が筐体の開閉操作を認識し、かつ未読メールが存在する場合に、表示制御部がキーバックライトを発光制御する。【選択図】図１
2010109766.tif 000002
【特許請求の範囲】
【請求項１】
開閉可能な筐体と、
前記筐体の開閉操作を認識する入力制御部と、
ユーザからの操作入力を受け付ける複数の操作キーを備えるキー操作部と、
前記各操作キーの背後を照らす前記操作キーごとに独立して点灯可能であるキーバックライトと、
電子メールの送受信を行うメール送受信部と、
前記メール送受信部によって受信された新着電子メールから当該メールが表している内容があらかじめ指定されたいずれの内容に該当するかを判断する感情認識判断部と、
前記感情認識判断部によって判断された内容に対応して前記キーバックライトを発光させるパターンをあらかじめ記憶する表示パターン記憶部と、
前記感情認識判断部によって判断された内容に対応するパターンに基づいて前記キーバックライトを発光制御する表示制御部とを有し、
前記入力制御部が前記筐体の開閉操作を認識し、かつ前記メール送受信部によって受信された未読メールが存在する場合に、前記感情認識判断部が認識した前記内容に対応するパターンに基づいて、前記表示制御部が前記キーバックライトを発光制御することを特徴とする携帯電話機。
【請求項２】
ユーザに対して種々の情報を出力するメインディスプレイを備え、
前記表示制御部が、前記感情認識判断部によって判断された内容に対応してあらかじめ記憶されたパターンに基づいて前記キーバックライトを発光制御すると共に、前記パターンに対応するアイコンを前記メインディスプレイに表示させることを特徴とする、請求項１に記載の携帯電話機。
【請求項３】
前記感情認識判断部に、前記新着メールのテキストデータと照合して前記テキストデータが前記いずれの内容に該当するかを判断する処理を行うためのキーワードがあらかじめ記憶された感情キーワード記憶部が併設されていることを特徴とする、請求項１に記載の携帯電話機。
【請求項４】
前記感情認識判断部が前記新着メールについて判断するようあらかじめ指定された内容が、「ビジネス」「お知らせ」「迷惑メール」および「該当なし」のうち、少なくとも１つ以上を含むことを特徴とする、請求項１に記載の携帯電話機。
【請求項５】
前記感情認識判断部が、前記新着メールの内容が「迷惑メール」に該当すると判断した場合、前記表示制御部は前記キーバックライトを発光制御する処理を行わないことを特徴とする、請求項４に記載の携帯電話機。
【請求項６】
前記キーバックライトが各キーごとに複数色の発光が可能であり、
前記表示制御部が前記キーバックライトを各キーごとに異なる発光色で発光制御することが可能であることを特徴とする、請求項１ないし請求項５のうちいずれか１項に記載の携帯電話機。
【請求項７】
開閉可能な筐体と、ユーザからの操作入力を受け付ける複数の操作キーを備えるキー操作部と、前記各操作キーの背後を照らす前記操作キーごとに独立して点灯可能であるキーバックライトとを有する携帯電話機にあって、新着電子メールの内容に応じたパターンで前記キーバックライトを発光制御するキーイルミネーション方法であって、
前記新着電子メールを受信し、
前記受信された新着電子メールから当該メールの表している内容があらかじめ指定されたいずれの内容に該当するかを判断し、
前記携帯電話機の筐体の開閉操作を認識し、
前記開閉操作が認識され、かつ前記新着メールが未読である場合に、前記新着メールについて判断された内容に対応してあらかじめ記憶されたパターンに基づいて前記キーバックライトを発光制御する
ことを特徴とするキーイルミネーション方法。
【請求項８】
開閉可能な筐体と、ユーザからの操作入力を受け付ける複数の操作キーを備えるキー操作部と、前記各操作キーの背後を照らす前記操作キーごとに独立して点灯可能であるキーバックライトとを有する携帯電話機にあって、前記携帯電話機が備えるコンピュータに、
新着電子メールを受信する手順と、
前記受信された新着電子メールの内容から当該メールの表している内容があらかじめ指定されたいずれの内容に該当するかを判断する手順と、
前記携帯電話機の筐体の開閉操作を認識する手順と、
前記開閉操作が認識され、かつ前記新着メールが未読である場合に、前記新着メールについて判断された内容に対応してあらかじめ記憶されたパターンに基づいて前記キーバックライトを発光制御する手順と
を実行させることを特徴とするキーイルミネーションプログラム。
【発明の詳細な説明】
【技術分野】
【０００１】
本発明は携帯電話機に関し、特に操作キーを特定の表示パターンで発光制御するキーイルミネーションに関する。
【背景技術】
【０００２】
電子メール（以後単にメールという）を送受信可能な携帯電話機は、いまや我々の生活にすっかり定着している。携帯電話機がメールを受信すると、そのメールの差出人に応じて異なる着信音の鳴動やメインディスプレイの表示（たとえば差出人の顔写真を表示するなど）を行うことも一般的であり、これによってユーザは誰からのメールを受信したかを知ることができる。
【０００３】
また、携帯電話機においては、メインディスプレイだけでなく、たとえば開閉可能な筐体を閉じた状態でも確認できるサブディスプレイや、電話番号や文字の入力に使用される操作キーを特定の色やパターンなどで光らせるイルミネーションによって、種々の情報をユーザに伝えるという構成も一般的にみられる。
【０００４】
これに関連する技術として、たとえば次のような文献がある。特許文献１には、動作に応じて操作キーを２種類以上の色で光らせることが可能な携帯電話機が記載されている。特許文献２には、ディスプレイ用と操作キー用というように、複数領域に分割されたバックライトを備えた携帯電話機が記載されている。特許文献３には、操作キーの各々に３色のＬＥＤによるキーバックライトが配置されており、各々のキーを異なる発光色で光らせて特定のパターンのイルミネーションを表示することが可能な携帯電話機が記載されている。
【０００５】
一方、特許文献４には、受信したメールの内容をキーワードによって解析して、そのメールが表す感情に応じたアイコンを表示する通信機器が記載されている。特許文献５には、操作キーの各々に配置されたバックライトが、伝達すべき状態情報に応じて点灯する携帯電話機が記載されている。
【０００６】
図７は、特許文献３、４、および５を組み合わせて得られる携帯電話機の動作を示すフローチャートである。携帯電話機が新規メールを受信し、その内容を保存する（ステップＳ５０１）と、その受信された新規メールのテキストデータを感情キーワードと照合して、そのテキストデータがどのような感情を表しているかを解析する（ステップＳ５０２）。
【０００７】
該携帯電話機にあらかじめ保存された設定パターンに基づき、ステップＳ５０２の解析で得られたその新規メールの表している感情に対応した点灯パターンで、各々のキーを光らせてイルミネーションを表示する（ステップＳ５０３）。そして、その新規メールをメインディスプレイに表示する（ステップＳ５０４）。
【０００８】
このように、特許文献３、４、５の技術を組み合わせることにより、受信したメールの表す感情を検出して、その感情に応じて操作キーを特定のパターンのイルミネーションで光らせ、これによって当該メールの表す感情をユーザに伝えるということが可能となる。
【０００９】
【特許文献１】特開２００１−２１７９０４号公報
【特許文献２】特開２００２−１０１１９５号公報
【特許文献３】特開２００５−１３４９９８号公報
【特許文献４】特開２００７−１４８９３９号公報
【特許文献５】特表２００６−５２０１２５号公報
【発明の開示】
【発明が解決しようとする課題】
【００１０】
一般的な携帯電話機では、ユーザは着信音の鳴動によってメールの受信を知ることができる。またユーザは、その着信音の種類やメインディスプレイの表示の種類によって、そのメールが誰からのものであるかを知ることができる。しかしながら、その着信音や表示の種類は、一般的にそのメールの差出人のアドレスのみによって判断される。従ってユーザは、そのメールの内容については、当該メールをメインディスプレイに表示させるまで知ることはできない。
【００１１】
一方、特許文献４には、受信したメールの内容を解析して、そのメールが表す感情を検出し、その感情に応じた表示をメインディスプレイ上に行うという携帯電話機が記載されている。また、特許文献３には、操作キーの各々を異なる発光色で光らせて特定のパターンのイルミネーションを表示させる携帯電話機が記載されている。さらに特許文献５には、ユーザに伝達すべき状態情報に応じて操作キーの点灯させる携帯電話機が記載されている。
【００１２】
従って、前述の特許文献３〜５の組み合わせによる携帯電話機で、着信音の鳴動によってメールの受信を知ったユーザは、操作キーのイルミネーションによる点灯を見てそのメールの表す感情を知ることは可能となる。
【００１３】
しかしながら、多くの携帯電話機は開閉式であり、メールをメインディスプレイに表示させる操作をするには、まずその携帯電話機の筐体を開いて、それからメールを表示させる操作をする必要がある。この操作を簡略化し、ユーザが筐体を開くだけでそのメールの内容を知ることのできる構成は、特許文献１〜５の組み合わせによっても得ることはできない。
【００１４】
本発明の目的は、ユーザが当該メールをメインディスプレイに表示させる前に、携帯電話機の筐体を開くだけでそのメールの内容を知ることを可能とする携帯電話機、キーイルミネーション方法およびキーイルミネーションプログラムを提供することにある。
【課題を解決するための手段】
【００１５】
上記目的を達成するため、本発明に係る携帯電話機は、開閉可能な筐体と、筐体の開閉操作を認識する入力制御部と、ユーザからの操作入力を受け付ける複数の操作キーを備えるキー操作部と、各操作キーの背後を照らす操作キーごとに独立して点灯可能であるキーバックライトと、電子メールの送受信を行うメール送受信部と、メール送受信部によって受信された新着電子メールから当該メールが表している内容があらかじめ指定されたいずれの内容に該当するかを判断する感情認識判断部と、感情認識判断部によって判断された内容に対応してキーバックライトを発光させるパターンをあらかじめ記憶する表示パターン記憶部と、感情認識判断部によって判断された内容に対応するパターンに基づいてキーバックライトを発光制御する表示制御部とを有し、入力制御部が筐体の開閉操作を認識し、かつメール送受信部によって受信された未読メールが存在する場合に、感情認識判断部が認識した内容に対応するパターンに基づいて、表示制御部がキーバックライトを発光制御することを特徴とする。
【００１６】
上記目的を達成するため、本発明に係るキーイルミネーション方法は、開閉可能な筐体と、ユーザからの操作入力を受け付ける複数の操作キーを備えるキー操作部と、各操作キーの背後を照らす操作キーごとに独立して点灯可能であるキーバックライトとを有する携帯電話機にあって、新着電子メールの内容に応じたパターンでキーバックライトを発光制御するキーイルミネーション方法であって、新着電子メールを受信し、受信された新着電子メールから当該メールの表している内容があらかじめ指定されたいずれの内容に該当するかを判断し、携帯電話機の筐体の開閉操作を認識し、開閉操作が認識され、かつ新着メールが未読である場合に、新着メールについて判断された内容に対応してあらかじめ記憶されたパターンに基づいてキーバックライトを発光制御することを特徴とする。
【００１７】
上記目的を達成するため、本発明に係るキーイルミネーションプログラムは、開閉可能な筐体と、ユーザからの操作入力を受け付ける複数の操作キーを備えるキー操作部と、各操作キーの背後を照らす操作キーごとに独立して点灯可能であるキーバックライトとを有する携帯電話機にあって、携帯電話機が備えるコンピュータに、新着電子メールを受信する手順と、受信された新着電子メールの内容から当該メールの表している内容があらかじめ指定されたいずれの内容に該当するかを判断する手順と、携帯電話機の筐体の開閉操作を認識する手順と、開閉操作が認識され、かつ新着メールが未読である場合に、新着メールについて判断された内容に対応してあらかじめ記憶されたパターンに基づいてキーバックライトを発光制御する手順とを実行させることを特徴とする。
【発明の効果】
【００１８】
本発明は、上述したように携帯電話機の筐体の開閉操作を認識したことに応じて、新着電子メールの内容から認識された内容に対応するパターンに基づいてキーバックライトを発光させるように構成したので、ユーザが当該メールをメインディスプレイに表示させる前にキーイルミネーションを通じて当該メールの内容を知ることができる。これによって、ユーザが携帯電話機の筐体を開くだけでそのメールの内容を知ることを可能とするという、従来にない優れた携帯電話機、キーイルミネーション方法およびキーイルミネーションプログラムを提供することができる。
【発明を実施するための最良の形態】
【００１９】
（実施形態の内容）
以下、本発明の実施形態の構成について添付図１〜２に基づいて説明する。
最初に、本実施形態の基本的な内容について説明し、その後でより具体的な内容について説明する。
本実施形態に係る携帯電話機１０は、開閉可能な筐体１１と、筐体の開閉操作を認識する入力制御部１１４と、ユーザからの操作入力を受け付ける複数の操作キーを備えるキー操作部１０２と、各操作キーの背後を照らす操作キーごとに独立して点灯可能であるキーバックライト１０３と、メール送受信部によって受信された新着電子メールから当該メールが表している内容があらかじめ指定されたいずれの内容に該当するかを判断する感情認識判断部１１２と、感情認識判断部１１２によって判断された内容に対応してキーバックライト１０３を発光させるパターンを記憶する表示パターン記憶部（表示パターン１２３）と、感情認識判断部１１２によって判断された内容に対応するパターンに基づいてキーバックライトを発光制御する表示制御部１１３とを有する。同時に、入力制御部１１４が筐体１１の開閉操作を認識し、かつメール送受信部１１１によって受信された未読メールが存在する場合に、感情認識判断部１１２が認識した内容に対応するパターンに基づいて、表示制御部１１３がキーバックライト１０３を発光させる。
【００２０】
また、携帯電話機１０は、ユーザに対して種々の情報を出力するメインディスプレイ１０１を備え、表示制御部１１３が、感情認識判断部１１２によって判断された内容に対応してあらかじめ記憶されたパターンに基づいてキーバックライト１０３を発光制御すると共に、このパターンに対応するアイコンをメインディスプレイ１０１に表示させる。
【００２１】
同時に感情認識判断部１１２には、新着メールのテキストデータ１２１と照合してテキストデータ１２１がいずれの内容に該当するかを判断するための感情キーワード記憶部（感情キーワード１２２）が併設されている。
【００２２】
ここで感情認識判断部１１２が新着メールについて判断するようあらかじめ指定された内容が、「ビジネス」「お知らせ」「迷惑メール」と「該当なし」のうち、少なくとも１つ以上を含む。さらに、感情認識判断部１１２が、新着メールの内容が「迷惑メール」に該当すると判断した場合、表示制御部１１３はキーバックライト１０３を発光させる処理を行わない。
【００２３】
さらに、キーバックライト１０３は各キーごとに複数色の発光が可能であり、表示制御部１１３がキーバックライト１０３を各キーごとに異なる発光色で発光制御することが可能である。
【００２４】
この構成を備えることにより、本実施形態は、ユーザが携帯電話機の筐体を開くだけでそのメールの内容を知ることを可能とする。
以下、これをより詳細に説明する。
【００２５】
図１は、本発明の実施形態に係る携帯電話機１０の構成を示す説明図である。図１（ａ）は携帯電話機１０の筐体１１の外観を示し、図１（ｂ）は筐体１１内部の概略構成を示す。携帯電話機１０は、開閉可能な筐体１１を備え、ユーザに対して種々の情報を出力する液晶表示装置であるメインディスプレイ１０１、ユーザからの操作入力を受け付ける複数の操作キーを備えるキー操作部１０２、およびキー操作部１０２を構成する各々の操作キーの背後を照らすキーバックライト１０３を備える。図１（ａ）では、キーバックライト１０３の一部が「色Ａ」なる点灯色で点灯している状態を示している。
【００２６】
さらに携帯電話機１０は、その各部の動作を制御する動作プログラムを記憶するＲＡＭ（Random Access Memory）１０４、携帯電話機１０と地上局（図示せず）との間でメールのデータを通信する無線通信部１０５、各種データおよびプログラムを記憶する不揮発性記憶装置である記憶部１０６、およびＲＡＭ１０４に記憶されたプログラムを実行するＭＰＵ（Micro Processing Unit）である制御部１０７を備える。
【００２７】
無線通信部１０５を制御してメールの送受信を行うメール送受信部１１１、受信されたメールの内容から当該メールの表している感情もしくは内容を認識する感情認識判断部１１２、感情認識判断部１１２が認識した感情もしくは内容に基づいてメインディスプレイ１０１およびキーバックライト１０３に特定の表示を実行する表示制御部１１３、およびユーザによるキー操作部１０２の操作および筐体１１を開閉する操作を検出する入力制御部１１４は、いずれも記憶部１０６からＲＡＭ１０４に読み出され、制御部１０７で実行されるプログラムである。
【００２８】
記憶部１０６には、メール送受信部１１１が受信したメールの内容であるテキストデータ１２１、感情認識判断部１１２が感情もしくは内容の認識のために使用するキーワードのリストである感情キーワード１２２、および表示制御部１１３が行うメインディスプレイ１０１およびキーバックライト１０３の表示のパターンを示す表示パターン１２３が記憶される。
【００２９】
図２は、図１で示した携帯電話機１０のキー操作部１０２およびキーバックライト１０３のより詳細な構成を示す説明図である。図２（ａ）はキー操作部１０２を前面から見た状態、図２（ｂ）はそこから前面カバーを取り外した状態、図２（ｃ）は操作キー２０１に備え付けられたライト２０２のうちの１つを拡大した状態、図２（ｄ）はメインディスプレイ１０１に新規メール到着の状態が表示され、同時にライト２０２の一部が「色Ａ」による表示パターン１２３に基づいて点灯された状態を示す。
【００３０】
キー操作部１０２は、操作者が指で触って操作可能な複数の操作キー２０１を備え、各々の操作キー２０１は透光性部材で構成されていると同時に、該操作キー２０１の各々の背後を照らすライト２０２が備えられている。
【００３１】
図２（ｃ）に示すように、ライト２０２は、ＲＧＢの３色の点灯素子２０２ｒ、２０２ｇ、２０２ｂを備える。同時にライト２０２はＲ、Ｇ、Ｂ、接地（ＧＮＤ）の４つの端子を備え、Ｒと接地との間を通電すれば赤色（Ｒ）の点灯素子２０２ｒが点灯する。Ｇと接地との間を通電すれば緑色（Ｇ）の点灯素子２０２ｒが点灯する。Ｂと接地との間を通電すれば青色（Ｂ）の点灯素子２０２ｒが点灯する。
【００３２】
表示制御部１１３は各キーの各色ごとに各々の点灯素子を独立して通電することが可能であり、これによってライト２０２を各キーごとに異なる発光色で発光制御可能である。表示制御部１１３は、感情認識判断部１１２が認識した感情もしくは内容に応じて、表示パターン１２３に登録されたパターンをライト２０２によって表示することができる。
【００３３】
なお、キー操作部１０２に実装された操作キー２０１およびライト２０２の実装位置と個数は、面積などの実装条件内で任意に決定して配置することができる。図２では、横３個×縦７個の操作キー２０１を配置し、各々の操作キー２０１に対応してライト２０２を実装した例を示すが、実際にはこの配置に限定されない。
【００３４】
（新規メール受信時の処理）
図３は、携帯電話機１０が新規メールを受信した際に行う処理を表すフローチャートである。メール送受信部１１１が新規メールを受信し、その内容をテキストデータ１２１として保存する（ステップＳ３０１）と、感情認識判断部１１２は受信された新規メールの件数をチェックする（ステップＳ３０２）。複数のメールが同時に受信された場合、最新のメール１件のみを以後に示す処理の対象として（ステップＳ３０３）、ステップＳ３０４に進む。受信された新規メールが１件のみの場合は、もちろんそれを以後に示す処理の対象としてステップＳ３０４に進む。
【００３５】
感情認識判断部１１２は、対象として指定されたメールのテキストデータ１２１を感情キーワード１２２と照合して、感情キーワード１２２と一致するフレーズと、そのフレーズが表す感情もしくは内容とを点数化し、どのような感情もしくは内容を表すフレーズが最も高い点数を得たかを解析する（ステップＳ３０４）。
【００３６】
この時、感情キーワード１２２では、いわゆる絵文字や顔文字などのような感情を表しやすい文字やフレーズに対して、より高い点数が与えている。感情認識判断部１１２は、最も高い点数を得た感情もしくは内容を、このメールが表す感情もしくは内容として認識する。ただし、感情認識についての処理はこの例に限定されず、より高度な感情解析が可能な公知技術を適用することができる。
【００３７】
ステップＳ３０４で感情認識判断部１１２が認識した感情もしくは内容に基づいて、表示制御部１１３は表示パターン１２３を検索し（ステップＳ３０５）、それに基づいてキーバックライト１０３を点灯させる（ステップＳ３０６）。以後、表示パターン１２３に基づいてキーバックライト１０３を点灯させる動作のことをキーイルミネーションという。
【００３８】
これと同時に、メール送受信部１１１が通常の新規メール受信時と同様にして、この新規メールのテキストデータ１２１をメインディスプレイ１０１に表示する（ステップＳ３０７）。この時、ステップＳ３０４で感情認識判断部１１２が認識した感情もしくは内容に応じたアイコンを、表示制御部１１３が同時にメインディスプレイ１０１に表示する。このアイコンのパターンも、表示パターン１２３に含まれて記憶部１０６に記憶されている（後述のアイコンパターン１２３ａ）。
【００３９】
また、このアイコンの表示と同時に、たとえば着信音の鳴動、バイブレーターの振動（いずれも図示せず）などもユーザの事前の設定などに基づいて、適宜行うことができる。以上で、新規メール受信時の処理を終了する。このステップＳ３０６および３０７の処理は、新規メールが受信された直後からあらかじめ設定された処理継続時間（通常は数秒間程度）行われる。
【００４０】
以上に示した処理により、ユーザはキーイルミネーションを通じてこの新規メールの大まかな内容を知ることができる。
【００４１】
（表示パターン）
図４は、図３のステップＳ３０６および３０７で使用される、表示パターン１２３の一例を示す表である。この例では、感情認識判断部１１２は「喜び」「怒り」「悲しみ」「楽しい」という４種類の感情、および「ビジネス」「お知らせ」「迷惑メール」という３種類の内容と、これらのいずれの感情や場合にも該当しない「該当なし」とを、テキストデータ１２１を感情キーワード１２２と照合することによって認識する。
【００４２】
ちなみに、「ビジネス」は、ユーザが仕事で交換するメールを表す。「お知らせ」は、たとえばメールマガジンなどのように、ユーザ本人が受け取りを希望して配信される各種の告知事項を記載したメールを表す。「迷惑メール」は、ユーザ本人が受け取りを希望していないのに送信される、主に公序良俗に反する内容の商用宣伝目的のメールを表す。
【００４３】
これらの「ビジネス」「お知らせ」「迷惑メール」の３種類は該メールの「内容」を表すものであり、「感情」であるとは言えない。しかしながら、感情認識判断部１１２はこれらの内容についても、感情キーワード１２２の選択によって他の４種類の「感情」を認識するのと同一の手法によって認識することが可能であるため、ここでは「感情」の一種として捉えてもよい。
【００４４】
表示パターン１２３は、それら各々の感情キーワードに対して、メインディスプレイ１０１に表示するアイコンパターン１２３ａ、キーバックライト１０３を点灯させるイルミネーション点灯色１２３ｂ、およびイルミネーション点灯パターン１２３ｃを対応づけて記憶している。それらの感情および内容のいずれにも該当しない「該当なし」の場合のデータも、表示パターン１２３には含まれている。
【００４５】
ちなみに、感情キーワードが「迷惑メール」の場合は、キーイルミネーションの点灯は行わないので、イルミネーション点灯色１２３ｂおよびイルミネーション点灯パターン１２３ｃは登録されていない。感情キーワードが「該当なし」の場合は、ステップＳ３０７ではメインディスプレイ１０１へのアイコンの表示を行わないので、アイコンパターン１２３ａは登録されていない。
【００４６】
図５は、図４で示したイルミネーション点灯パターン１２３ｃの一例を示す説明図である。図５は、図２に示したキー操作部１０２を前面から見た状態で、各操作キー２０１に備えられたライト２０２の各々の点灯色を、文字によって示している。文字の表示されていないキーは点灯されないことを示している。
【００４７】
図５（ａ）は「お知らせ」、図５（ｂ）は「喜び」、図５（ｃ）は「怒り」に該当するイルミネーション点灯パターン１２３ｃの例を示す。共に、図４に示されたイルミネーション点灯色１２３ｂに基づいて点灯する色が決定され、またイルミネーション点灯パターン１２３ｃが決定される。ここでいう色およびパターンについては、色彩心理学的手法などを利用して適宜決定することができる。
【００４８】
図５（ａ）の「お知らせ」に該当するイルミネーション点灯パターン１２３ｃは、（ａ−１）〜（ａ−６）に示すように、緑色の点灯で「中心の１点を表示後、中心点から横の点を表示、横一線表示したら縦へ点灯する」という形の点灯パターンを、１パターンあたり０．５秒間ずつ表示するパターンである。図５（ａ）では緑色の点灯を「緑」の文字で表示し、文字の表示されていないキーは点灯されないことを示している。
【００４９】
図５（ｂ）の「喜び」に該当するイルミネーション点灯パターン１２３ｃは、（ｂ−１）〜（ｂ−３）に示す「全てのキーについて、黄色、黄緑、水色を３通りの表示色を散りばめ、輝度レベルは明るめで点灯させる」という形の点灯パターンを、１パターンあたり０．５秒間ずつ表示するパターンである。図５（ｂ）では黄色、黄緑、水色の各色での点灯を各々「黄」「緑」「水」の文字で表示している。
【００５０】
図５（ｃ）の「怒り」に該当するイルミネーション点灯パターン１２３ｃは、（ｃ−１）〜（ｃ−２）に示す「全てのキーについて、赤色表示、かつ最大輝度で点滅させる」という形の点灯パターンを、１パターンあたり０．３秒間ずつ表示するパターンである。図５（ｃ）では赤色の点灯を「赤」の文字で表示し、文字の表示されていないキーは点灯されないことを示している。
【００５１】
（ユーザが携帯電話機を操作した時の処理）
図６は、図３で示した新規メール受信時の処理が行われた後で、ユーザが携帯電話機１０をキー操作もしくは筐体１１を開閉した際の処理を示すフローチャートである。入力制御部１１４がユーザによる筐体１１の開閉の操作、もしくはキー操作部１０２の操作を検出すると（ステップＳ４０１）、まずメール送受信部１１１が新規メールの有無を判断する（ステップＳ４０２）。
【００５２】
ステップＳ４０２で新規メールがなければ、表示制御部１１３が通常の設定に基づいてキーイルミネーションを行う（ステップＳ４０６）。この場合のキーイルミネーションは、認識された感情および内容とは関係なく、イルミネーション点灯パターン１２３ｃに「該当なし」の場合のパターンとして登録されたパターンを使用する。
【００５３】
ステップＳ４０２で新規メールがあれば、さらに入力制御部１１４に検出されたこの操作が「初回の操作」であるか否かを判断する（ステップＳ４０３）。「初回の操作」でなければ、前述のステップＳ４０６に進む。新規メールがあり、かつ「初回の操作」であれば、当該新規メールに対して図３の処理で認識された感情に基づいて表示制御部１１３が表示パターン１２３を検索し（ステップＳ４０４）、それに基づいてキーイルミネーションを行う（ステップＳ４０５）。
【００５４】
これと同時に、メール送受信部１１１が通常の新規メール受信時と同様にして、この新規メールのテキストデータ１２１をメインディスプレイ１０１に表示する（ステップＳ４０７）。前述のステップＳ４０６の処理が終了した後も、このステップＳ４０７に進む。このステップＳ４０７では、前述のステップＳ３０７と同様に、感情認識判断部１１２が認識した感情に応じたアイコン（アイコンパターン１２３ａ）を、表示制御部１１３が同時にメインディスプレイ１０１に表示する。
【００５５】
前述のステップＳ４０６に進んだ後も、ステップＳ４０７でテキストデータ１２１をメインディスプレイ１０１に表示するが、この場合はアイコンの表示はない。以上で、新規メール受信時の処理を終了し、ユーザの操作に基づいたメールの読み書きに係る通常の処理となる。
【００５６】
（全体的な動作）
次に、上記の第１の実施形態の全体的な動作について説明する。本実施形態に係る動作は、開閉可能な筐体１１と、ユーザからの操作入力を受け付ける複数の操作キーを備えるキー操作部１０２と、各操作キーの背後を照らす操作キーごとに独立して点灯可能であるキーバックライト１０３とを有する携帯電話機１０にあって、新着電子メールの内容に応じたパターンでキーバックライトを点灯させるキーイルミネーション方法であって、新着電子メールを受信し（図３：ステップＳ３０１）、受信された新着電子メールから当該メールの表している内容があらかじめ指定されたいずれの内容に該当するかを判断し（図３：ステップＳ３０４）、携帯電話機の筐体の開閉操作を認識し（図６：ステップＳ４０１）、開閉操作が認識され、かつ新着メールが未読である場合に（図６：ステップＳ４０２）、新着メールについて判断された内容に対応してあらかじめ記憶されたパターンに基づいてキーバックライトを発光制御する（図６：ステップＳ４０４〜４０５）。
【００５７】
ここで、上記各動作ステップについては、これをコンピュータで実行可能にプログラム化し、これらを前記各ステップを直接実行するコンピュータである制御部１０７に実行させるようにしてもよい。
この動作により、本実施形態は以下のような効果を奏する。
【００５８】
ユーザは、図３に示した新規メール受信直後のステップＳ３０６および３０７の処理に対して、他の用事などのため、すぐには反応できない場合がある。そこで、未読メールがある状態でユーザが携帯電話機１０をキー操作もしくは開閉した場合に、図６に示した処理が行われることにより、ユーザはメインディスプレイ１０１に新規メールの内容を表示させる操作をする前に、キーイルミネーションを通じてこの新規メールの大まかな内容を知ることができる。本実施形態は、このことによって、ユーザの利便性を向上させることができる。
【００５９】
これまで本発明について図面に示した特定の実施形態をもって説明してきたが、本発明は図面に示した実施形態に限定されるものではなく、本発明の効果を奏する限り、これまで知られたいかなる構成であっても採用することができる。
【産業上の利用可能性】
【００６０】
本発明は、携帯電話機に対して適用することができる。
【図面の簡単な説明】
【００６１】
【図１】本発明の実施形態に係る携帯電話機の構成を示す説明図である。図１（ａ）は携帯電話機の筐体の外観を示し、図１（ｂ）は筐体内部の概略構成を示す。
【図２】図１で示した携帯電話機のキー操作部およびキーバックライトのより詳細な構成を示す説明図である。図２（ａ）はキー操作部を前面から見た状態、図２（ｂ）はそこから前面カバーを取り外した状態、図２（ｃ）は操作キーに備え付けられたライトうちの１つを拡大した状態、図２（ｄ）はメインディスプレイに新規メール到着の状態が表示され、同時にライトの一部が「色Ａ」による表示パターンに基づいて点灯された状態を示す。
【図３】携帯電話機が新規メールを受信した際に行う処理を表すフローチャートである。
【図４】図３のステップＳ３０６および３０７で使用される、表示パターンの一例を示す表である。
【図５】図４で示したイルミネーション点灯パターンの一例を示す説明図である。図５（ａ）は「お知らせ」、図５（ｂ）は「喜び」、図５（ｃ）は「怒り」に該当するイルミネーション点灯パターンの例を示す。
【図６】図３で示した新規メール受信時の処理が行われた後で、ユーザが携帯電話機をキー操作もしくは筐体を開閉した際の処理を示すフローチャートである。
【図７】特許文献３、４、および５を組み合わせて得られる携帯電話機の動作を示すフローチャートである。
【符号の説明】
【００６２】
１０  携帯電話機
１１  筐体
１０１  メインディスプレイ
１０２  キー操作部
１０３  キーバックライト
１０４  ＲＡＭ
１０５  無線通信部
１０６  記憶部
１０７  制御部
１１１  メール送受信部
１１２  感情認識判断部
１１３  表示制御部
１１４  入力制御部
１２１  テキストデータ
１２２  感情キーワード
１２３  表示パターン
１２３ａ  アイコンパターン
１２３ｂ  イルミネーション点灯色
１２３ｃ  イルミネーション点灯パターン
２０１  操作キー
２０２  ライト
２０２ｒ、２０２ｇ、２０２ｂ  点灯素子
【図１】
2010109766.tif 000003
【図２】
2010109766.tif 000004
【図３】
2010109766.tif 000005
【図４】
2010109766.tif 000006
【図５】
2010109766.tif 000007
【図６】
2010109766.tif 000008
【図７】
2010109766.tif 000009